(57)【要約】【課題】視認性を高める膜スクレーパを提供する。【解決手段】本発明は、ハンドルとハンドルに取付けられたカニューレとを有する。カニューレは、金属または高分子化合物製ワイヤの係蹄すなわちループを含んでおり、ループは、その長さが固定されているか、または調整可能・後退可能である。少なくともループの一部は、ループの材質自体を粗くするか、若しくは、研削材、例えばダイアモンドの粉末、またはそれと類似した研削材をループにコーティングするかのいずれかにより粗くされている。【選択図】図１
2008183407.tif 000002
【特許請求の範囲】
【請求項１】
ノーズコーンを有する中空のハンドルと、
前記中空のハンドル内を往復する摺動ブロックと、
前記ノーズコーンに取付けられているカニューレと、
前記カニューレを通じて延びていて、前記摺動ブロックに取付けられている少なくとも一つのワイヤループとを備えており、前記摺動ブロックの動作が、前記ワイヤループを前記カニューレ内に往復させるようになる
膜スクレーパ。
【請求項２】
前記ワイヤループは、粗くされている請求項１記載の膜スクレーパ。
【請求項３】
前記ワイヤループは、粗い被覆をさらに備える請求項１記載の膜スクレーパ。
【請求項４】
複数の前記ワイヤループをさらに備える請求項１記載の膜スクレーパ。
【請求項５】
前記複数のワイヤループは、粗くされている請求項４記載の膜スクレーパ。
【請求項６】
前記複数のワイヤループは、粗い被覆をさらに備える請求項４の膜スクレーパ。
【請求項７】
ノーズコーンを有するハンドルと、
前記ノーズコーンに取付けられているカニューレと、
前記ノーズコーンの反対側において前記カニューレに取付けられている、少なくとも一つのワイヤループと
を備える膜スクレーパ。
【請求項８】
前記ワイヤループは、粗くされている請求項７記載の膜スクレーパ。
【請求項９】
前記ワイヤループは、粗い被覆をさらに備える請求項７記載の膜スクレーパ。
【請求項１０】
複数の前記ワイヤループをさらに備える請求項７記載の膜スクレーパ。
【請求項１１】
前記複数のワイヤループは、粗くされている請求項１０記載の膜スクレーパ。
【請求項１２】
前記複数のワイヤループは、粗い被覆をさらに備える請求項１０記載の膜スクレーパ。
【発明の詳細な説明】
【技術分野】
【０００１】
本発明は、眼科手術用の装置に関し、さらに詳細には、後部眼科手術用の装置に関する。
【背景技術】
【０００２】
硝子体網膜の外科医に対する従来からの課題は、増殖性硝子体網膜疾患の治療時に、感覚神経の網膜に損傷または危害を与えることなしに、感覚神経の網膜から増殖性の膜を分離することである。そのような治療のために、増殖性の膜を網膜の表面から除去することが、幅広い様々な病気の状態と外科的な状況とにおいて要求されている。様々な眼球用のピックおよび眼球用の鉗子が、増殖性の膜を除去するのに以前から使用されてきた。
【０００３】
しかしながら、従来の器具を用いた増殖性の膜を除去する先行技術は、網膜を損傷させる危険がつねに伴う。さらに、いくつかの増殖性硝子体網膜疾患で見られる「未成熟な増殖性の膜」は脆く、膜状に剥離するのが困難である場合があり、しばしば、網膜の表面から十分に除去できない。除去できなかった、または残留した増殖性の膜は、時間が経つと、次の再増殖の原因となる場合がある。
【０００４】
特許文献１に開示されていて「タノスクレーパ」として市場で販売されている一つの先行技術による機器は、硬質のカニューレで構成されており、そのカニューレはその末端に取付けられた比較的可撓性のあるチューブを備えている。チューブは、研削材、例えば、ダイアモンドの粉末によってコーティングが施されている。カニューレの末端は、穏やかに磨くまたは研磨する行為をすれば、除去されるべき細胞組織をこすり落とす。可撓性のあるチューブは不透明であるので、こすり落とされる表面を見ることは困難でありうる。
【特許文献１】米国特許第５，９２１，９９８号明細書（タノ等）
【発明の開示】
【発明が解決しようとする課題】
【０００５】
そのため、視認性を増加させる膜スクレーパが要求され続けている。
【０００６】
本発明の目的は、眼科用の膜スクレーパを提供することである。
本発明の別の目的は、削り取られた表面の視認性を増加させる膜スクレーパを提供することである。
本発明の別の目的は、ループすなわち係蹄を備えた眼科用の膜スクレーパを提供することである。
本発明の追加の目的は、粗くしたループすなわち係蹄を備えた眼科用の膜スクレーパを提供することである。
【課題を解決するための手段】
【０００７】
本発明は、ハンドルを備えているカニューレに取付けられたプローブを提供することにより、先行技術を改良するものである。カニューレは、金属または高分子化合物製ワイヤの係蹄すなわちループを含んでおり、ループはその長さが固定されているか、または調整可能・後退可能である。少なくともループの一部は、ループの材質自体を粗くするか、または、研削材、例えば、ダイアモンドの粉末、またはそれと類似した研削材をループにコーティングするかのいずれかにより粗くされている。
【０００８】
１番目の発明によれば、膜スクレーパは、ノーズコーンを有する中空のハンドルと、
前記中空のハンドル内を往復する摺動ブロックと、前記ノーズコーンに取付けられているカニューレと、前記カニューレを通じて延びていて、前記摺動ブロックに取付けられている少なくとも一つのワイヤループとを備えており、前記摺動ブロックの動作が、前記ワイヤループを前記カニューレ内に往復させるようになる。
２番目の発明によれば、１番目の発明において、膜スクレーパは、粗くされている前記ワイヤループを備えている。
３番目の発明によれば、１番目の発明において、膜スクレーパは、粗い被覆をさらに備える前記ワイヤループを備えている。
４番目の発明によれば、１番目の発明において、膜スクレーパは、複数の前記ワイヤループをさらに備えている。
５番目の発明によれば、４番目の発明において、膜スクレーパは、粗くされている前記複数のワイヤループを備えている。
６番目の発明によれば、４番目の発明において、膜スクレーパは、粗い被覆をさらに備える前記複数のワイヤループを備えている。
７番目の発明によれば、膜スクレーパは、ノーズコーンを有するハンドルと、前記ノーズコーンに取付けられているカニューレと、前記ノーズコーンの反対側において前記カニューレに取付けられている、少なくとも一つのワイヤループとを備えている。
８番目の発明によれば、７番目の発明において、膜スクレーパは、粗くされている前記ワイヤループを備えている。
９番目の発明によれば、７番目の発明において、膜スクレーパは、粗い被覆をさらに備える前記ワイヤループを備えている。
１０番目の発明によれば、７番目の発明において、膜スクレーパは、前記複数のワイヤループをさらに備えている。
１１番目の発明によれば、１０番目の発明において、膜スクレーパは、粗くされている前記複数のワイヤループを備えている。
１２番目の発明によれば、１０番目の発明において、膜スクレーパは、粗い被覆をさらに備える前記複数のワイヤループを備えている。
【０００９】
本発明の他の目的、特徴、および利点は、図面および以下に示す図面と特許請求の範囲の記載とを参照することによって明らかにされるであろう。
【発明を実施するための最良の形態】
【００１０】
図１において最もよく分かるように、本発明に係る膜スクレーパ１０の第一の実施形態は、概ね、ハンドル１２、ノーズコーンすなわちハブ１４、カニューレ１６、および、ループすなわち係蹄（ｓｎａｒｅ）１８を備えている。様々な既知の取付方法、例えば、接着剤、超音波溶接、熱による溶接または圧着のうちいずれかの方法により、カニューレ１６はハブ１４に取付いており、ハブ１４はハンドル１２に取付いている。カニューレ１６は、好ましくは、２０ゲージ（２０ｇａ）、２３ゲージ、または２５ゲージ、若しくは、より小さいステンレス鋼またはチタンからなる管材料によって形成されており、ハブ１４とハンドル１２とは、好ましくは、当該技術分野において周知の方法により熱可塑性物質から成型されるか、若しくは、ステンレス鋼またはチタンから作成される。ループ１６は、好ましくは、ステンレス鋼、チタンまたは高分子化合物製ワイヤから作成されていて、カニューレ１６の末端２０に、接着剤、溶接または圧着によって取付けられている。図２および図４において最もよく分かるように、膜スクレーパ１０は、単一のループ１８、または複数のループ１８を含んでもよい。ループ１８（複数の場合も含む。以下同じ）を直接的に粗くすることにより達成されるか、ループ１８に対する砂の吹き付け、または、鋸歯状への切断、若しくは、粗い被覆（例えば、ダイアモンドまたはその他の鉱物または金属の粉末）をループ１８に塗布することにより、ループ１８は粗い質感を有するのが好ましい。ループ１８は作用された表面をさらに簡単に視覚化させ、このことは、特に繊細な目の組織にとって重要である。
【００１１】
あるいは、図３において最もよく分かるように、膜スクレーパ１１０は、カニューレ１１６を通って延びるループ１８を含んでよく、このループ１８は、中空のハンドル１１２とノーズコーン１１４とを往復する摺動ブロック１３０に取付いている。摺動ブロック１３０の往復移動は、ボタンすなわちレバー１１４の操作によって達成される。図２および図４に示されるように、ボタン１４０の前方（遠位側）への動作によって、ループ１８が前方に押し出されて、カニューレ１１６の末端２０から延びるようになる。ボタン１４０の後方（近位側）への動作によって、ループ１８はカニューレ１１６の末端２０内に後退するようになる。
【００１２】
本発明の或る実施形態を記載したが、これらの説明は、図示および説明の目的のために行われたものである。前述された本装置および方法からの変化、変更、修正および逸脱は、本発明の範囲と精神から逸脱することなしに採用されるであろう。
【図面の簡単な説明】
【００１３】
【図１】図１は、本発明に係る膜スクレーパの第一の実施形態の拡大斜視図である。
【図２】図２は、図1における円２によって示される、本発明に係る膜スクレーパの先端の一つの実施形態の拡大斜視図である。
【図３】図３は、本発明に係る膜スクレーパの第二の実施形態の拡大断面図である。
【図４】図４は、図３における円４によって示される、本発明に係る膜スクレーパの先端の第二の実施形態の拡大斜視図である。
【符号の説明】
【００１４】
１０，１１０    膜スクレーパ
１２，１１２    ハンドル
１４，１１４    ノーズコーン
１６，１１６    カニューレ
１８    ループ
２０    末端
１３０    摺動ブロック
１４０    ボタン
【図１】
2008183407.tif 000003
【図２】
2008183407.tif 000004
【図３】
2008183407.tif 000005
【図４】
2008183407.tif 000006